(57)【要約】      （修正有） 【課題】スライスハム等を入れる包装体の連結保持に必要な引張り強さを持ちながら、必要に応じて簡単且つ容易に切断することのできる粘着テープを提供する。【解決手段】物の連結に用いる粘着封印ラベル４において、当該粘着封印ラベルの表裏若しくは表裏のいずれか一方に複数条の短尺切込み線１が一方向に配列されて成る破断開始部２を備え、前記短尺切込み線がそれぞれ平行し且つその配列方向に対して傾斜しており、さらに前記短尺切込み線は粘着封印ラベルの縁部３に接することなく縁部に沿って配列させて粘着封印ラベルを形成する。【選択図】図１
0003162271.tif 000002
【実用新案登録請求の範囲】
【請求項１】
物の連結に用いる粘着封印ラベルにおいて、当該粘着封印ラベルの表裏若しくは表裏のいずれか一方に複数条の短尺切込み線が一方向に配列されて成る破断開始部を備え、前記短尺切込み線がそれぞれ平行し且つその配列方向に対して傾斜しており、さらに前記短尺切込み線は粘着封印ラベルの縁部に接することなく縁部に沿って配列されていることを特徴とする粘着封印ラベル
【請求項２】
短尺切込み線の長さが、０．１ミリメートル以上であり、且つ、粘着封印ラベルの短手方向又は長手方向のうち当該短尺切込み線の配列方向ではない方の長さの４分の１以下であることを特徴とする請求項１記載の粘着封印ラベル            
【請求項３】
短尺切込み線の始点と粘着封印ラベルの縁部との距離が、０．５ミリメートル以上であり、且つ、粘着封印ラベルの短手方向又は長手方向のうち当該短尺切込み線の配列方向ではない方の長さの４分の１以下であることを特徴とする請求項１又は請求項２のいずれか記載の粘着封印ラベル
【請求項４】
物の連結が複数の包装体の連結であることを特徴とする請求項１から請求項３のいずれか記載の粘着封印ラベル    
【請求項５】
物の連結が容器とその蓋の連結であることを特徴とする請求項１から請求項３のいずれか記載の粘着封印ラベル  
【考案の詳細な説明】
【技術分野】
【０００１】
大きな引張り強さをもちながら、必要に応じて簡易且つ容易に切断することのできる粘着封印ラベル、及びその粘着封印ラベルを用いた物の連結構造物に関する。
【背景技術】
【０００２】
従来、商品の低価格販売を目的として、同種の物品を粘着ラベルにより複数個まとめてセットで販売することが一般に広く行われている。その一例として、複数枚のスライスハムをプラスチックフィルムから成る包装材料で包装して個別販売が可能な包装体とし、その包装体複数個を部分的に重なり合う状態に並べ、販売価格などを記した粘着ラベルによりそれらを連結して一つの商品としたもの（連結構造物）がある。  
【０００３】
これを購入した消費者は、粘着ラベルを引き剥がして包装体の連結構造を分解し、各包装体を取り出し、その包装体の中から物品を取り出す。上記のスライスハムの例でいえば、消費者は、粘着ラベルを剥がして、複数の包装体を一つ一つ分離し、各包装体からプラスチックフィルムを剥がしてスライスハムを取り出す。
【０００４】
しかし、従来、この種の連結構造物では、輸送中や販売前に不用意に個々の包装体が分離することのないように、粘着性の非常に強い粘着ラベルを使用したりしたことから、商品を購入した消費者にとっては、各包装体を分離するため粘着ラベルを引き剥がすことが非常に困難であったり、刃物を使用して粘着ラベルを剥がすことを余儀なくさせられることもあった。
【０００５】
そこで、このような不都合を解消するために、粘着ラベルにミシン目、Ｖ字カット、Ｉ字カットを設けたりする粘着ラベルもある（例えば、特許第２９４７３４９号公報、特許第３５６４０４８号公報で開示されている粘着ラベル）。
【０００６】
粘着ラベルの他の使われ方としては、上記の他に、薬や飲料などを入れるガラス製の瓶とその蓋に粘着ラベルを貼り、封印シールとすることもある。さらに、お菓子や健康食品などを入れる紙やプラスチック製の箱とその蓋に粘着ラベルを貼り、蓋が開かないように固定することや封印シールとして使用することもある。
【先行技術文献】
【特許文献】
【０００７】
【特許文献１】特許第２９４７３４９号公報
【特許文献２】特許第３５６４０４８号公報
【考案の概要】
【考案が解決しようとする課題】
【０００８】
しかしながら、ミシン目の入った従来の粘着ラベルでは、ミシン目は図４のように短尺な切り込み線が等間隔で一直線状に配列されている状態であるので、包装体の輸送や陳列に際して粘着ラベルに図４中の矢印方向への引張力が作用すると、ミシン目の個々の切り込み線９aと隣の切込み線９aの間に残された僅かな接着部９bに引張力が集中してミシン目が破断してしまうことがあった。
【０００９】
また、特許第２９４７３４９号公報で公開されている発明では、ある包装体と別の包装体の連結を保つ粘着ラベルが、包装体の物品収納部のみに貼着し、物品収納部の周囲に位置する周縁部には貼着しない構造となっており、その貼着しない浮いた箇所にミシン目、Ｖ字カット、Ｉ字カットを設けて、粘着ラベルをその箇所で破断せしめる構造になっている。
【００１０】
しかしながら、本願考案者が特許第２９４７３４９号公報記載の発明を忠実に再現して実験をしたところ、その粘着ラベルでは包装体と他の包装体を連結する十分な連結力を得られなかった。
【００１１】
また、物品収納部と周縁部とから成る包装体を複数個部分的に重なり合う状態に並べる場合に、包装体が薄いプラスチックフィルムで成形された個別体であるときは、図７、図８に示すように、包装体の位置がずれたり、個々の包装体が一列に並ばないか、斜めになってしまうかして包装体が規則正しく並ばない場合がある。このような場合に、特許第２９４７３４９号公報に係る発明を構成する粘着テープでは、テープ自体が糊で貼着する部分と糊がなく貼着しない部分から成っているため、粘着ラベルが正確に各包装体に貼着できない可能性がある。この可能性は、連結の対象となる包装体の数が３つ、４つと増える程大きくなる。
【００１２】
従来の粘着テープないし粘着ラベルは、以上のような課題をもっていた。そこで、以上のような課題を解決し、物の連結保持に必要な大きな引張り強さを持ちながら、必要に応じて簡単且つ容易に切断することのできる粘着テープが求められている。また、連結の対象となる物が３つ、４つと増えても、正確に連結できる粘着テープないし粘着ラベルが求められている。
【課題を解決するための手段】
【００１３】
前記の課題を解決するため、以下のような手段を考案した。すなわち、第１の手段は、物の連結に用いる粘着封印ラベルにおいて、当該粘着封印ラベルの表裏若しくは表裏のいずれか一方に複数条の短尺切込み線が一方向に配列されて成る破断開始部を備え、前記短尺切込み線がそれぞれ平行し且つその配列方向に対して傾斜しており、さらに前記短尺切込み線は粘着封印ラベルの縁部に接することなく当該縁部に沿って配列されていることを特徴とする粘着封印ラベルである。
【００１４】
第２の手段は、短尺切込み線の長さが０．１ミリメートル以上であり、且つ、粘着封印ラベルの短手方向又は長手方向のうち当該短尺切込み線の配列方向ではない方の長さの４分の１以下であることを特徴とする第１の手段記載の粘着封印ラベルである。                    
【００１５】
第３の手段は、短尺切込み線の始点と粘着封印ラベルの縁部との距離が、０．５ミリメートル以上であり、且つ、粘着封印ラベルの短手方向又は長手方向のうち当該短尺切込み線の配列方向ではない方の長さの４分の１以下であることを特徴とする第１の手段又は第２の手段のいずれか記載の粘着封印ラベルである。  
【００１６】
第４の手段は、物の連結が複数の包装体の連結であることを特徴とする第１の手段から第３の手段のいずれか記載の粘着封印ラベルである。
【００１７】
第５の手段は、物の連結が容器とその蓋の連結であることを特徴とする第１の手段から第３の手段のいずれか記載の粘着封印ラベルである。
【００１８】
本願考案に係る粘着封印ラベルは、第１の手段記載の構造にすることにより大きな引張り強さと必要に応じた切断の容易さを両立させることができる。粘着ラベルでなく、粘着封印ラベルとしたことの意味は、物と物を単に粘着させるという意味だけでなく、ラベルに封印の意味合いももたせていることにある。
【００１９】
また、本願考案に係る粘着封印ラベルは、全ての部分が対象物に粘着し、且つ、ラベルの長手方向又は短手方向の左右両端に至るまで切れ目なく破談開始部を備えることが可能であるので、連結の対象となる包装体が３つ、４つと増えても、問題なく各包装体を十分な強さで連結することができる。
【００２０】
さらに、第２の手段と第３の手段により、短尺切込み線の寸法を変えることと短尺切込み線の設置位置を変えることで、粘着ラベルによる物と物の連結力及び破断に要する力を必要に応じて変えることができる。すなわち、短尺切込み線を粘着封印ラベルの縁部により近く位置させることと短尺切込み線を長くすることの組合せにより、少ない力で破断せしめることが可能になる。また、その反対に、短尺切込み線を粘着封印ラベルの縁部から遠ざけて設置することと短尺切込み線を短くすることの組合せにより、破断に比較的大きな力が必要となるものの、物と物の連結力を強めることができる。
【００２１】
この説明を例えばスライスハムの入った包装体の連結構造物について考えてみると、包装体が２つ、３つ、４つの場合では、それぞれ包装体を連結させる力も変わってくる。包装体が４つある場合には、それが２つの場合よりも強い連結力が必要となる。短尺切込み線の長さと設置位置の組合せにより、それぞれの場合に最適な粘着封印ラベルの設計を選ぶことができる。
【考案の効果】
【００２２】
本願発明により、物の連結保持に必要な大きな引張り強さを持ちながら、必要に応じて簡単且つ容易に切断することのできる粘着封印ラベルとすることができた。これにより、消費者が粘着封印ラベルにより連結されている包装体その他の物を簡単且つ容易に分離することが可能となった。連結の対象となる物が３つ、４つと増えても、正確に連結することができる。さらに、粘着封印ラベルの連結力と破断に要する力を必要に応じて変えることが可能となった。
【考案を実施するための最良の形態】
【００２３】
以下では、図面により本件考案に係る粘着封印ラベルについて実施の形態を説明する。図１から図３は、本件考案に係る粘着封印ラベルの例である。いずれの図も、粘着封印ラベル４の表面を表している。図１は、粘着封印ラベル４の長手方向の一方の側のみに破断開始部２が設けられている。破断開始部２は、縁部３に沿って粘着封印ラベル４の長手方向の端から端まで連続している。破断開始部２は、複数の短尺切込み線１で構成されており、短尺切込み線１は配列方向に対して傾斜し、それぞれの短尺切込み線１は並行に並べられている。図２では、粘着封印ラベル４の長手方向の両側に破断開始部２が設置されている。図３では、破断開始部２が粘着封印ラベル４の長手方法の端から端まで連続することなく、一定の間隔を置きつつ縁部３に沿って設置されている。図１から図３は、粘着封印ラベル４の表面のみに破断開始部２がある例であるが、破断開始部２は、粘着封印ラベル４の表面と裏面の両方に設けることもできる。
【００２４】
図５、図６は、複数の包装体５を連結した状態の粘着封印ラベル４である。図５は、スライスハム等の物品を収納する物品収納部６とその物品収納部６の封をする役割を果たす封止部７（特許第２９４７３４９号公報に係る発明の「周縁部」に相当する。）と包装体から物品を取り出すため包装体を開封する最初の場所にあたる開封開始部８を有する包装体５を粘着封印ラベル４が連結している図である。粘着封印ラベル４は、その全体が包装体５に粘着している。粘着封印ラベル４の破断開始部２は、長手方向の縁部３に沿って２か所に分かれている。各包装体を分離するためには、粘着封印ラベル４の破断開始部２から粘着封印ラベル４を短手方向に向かって切断し、各包装体を分離する。
【００２５】
図６は、４つの包装体５を粘着封印ラベル４で連結している図である。この粘着封印ラベル４の破断開始部２は、長手方向の縁部３に沿って端から端まで存在する。
【００２６】
図９から図１２は、粘着封印ラベル４の短尺切込み線１の長さとその設置位置に変化をもたせた例である。図９は、短尺切込み線１をより短くし、且つ、縁部３に近づけて設置した例である。図１０は、短尺切込み線１を長めにし、且つ、縁部３に近づけて設置した例である。図１１は、短尺切込み線１をより短くし、且つ、縁部３から少し遠ざけて設置した例である。図１２は、短尺切込み線１を長めにし、且つ、縁部３から少し遠ざけて設置した例である。このように、短尺切込み線１の長さと設置位置に変化をもたせることにより、粘着封印ラベル４の連結力と破断に要する力に変化をもたせることができる。これにより、様様な物の連結に対して、必要な連結力と破断に要する力の組み合わせを適切に変えることができる。
【００２７】
すなわち、短尺切込み線１を縁部３に近づけて設置すれば、破断に要する力をその分少なくすることができ、その一方で連結力は弱めになる（この場合でも、連結に必要な最低限の力は保たれている。）。逆に、短尺切込み線１を縁部３から遠ざけて設置すれば、破断に要する力はその分より強いものが必要となり、その一方で連結力は強めになる。また、短尺切込み線１の長さをより長くすれば、破断に要する力をその分少なくすることができ、その一方で連結力はその分弱くなる（この場合も、連結に必要な最低限の力は保たれている。）。逆に、短尺切込み線１の長さを短くすれば、破断に要する力はその分強いものが必要となり、その一方で連結力は強くなる。
【００２８】
例えば、スライスハムの入った包装体５を複数個並べたものを粘着封印ラベル４で粘着する場合、包装体５を２つ並べる場合と４つ並べる場合では、４つ並べる場合の方が強い粘着力を必要とする。従って、この包装体５を４つ並べて粘着封印ラベル４で粘着する場合には、破断に要する力の度合いも考慮しながら、粘着力が適度に強くなるように、短尺切込み線１の長さとその設置位置を調整する。
【００２９】
短尺切込み線１の長さと設置位置の具体的数値は、以下のとおりである。まず、短尺切込み線１の長さは、０．１ミリメートル以上が必要である。また、その長さは、粘着テープの長手方向（横長のテープの長い方）又は短手方向（横長の粘着テープの短い方）のうち短尺切込み線１の配列方向でない方の長さの４分の１以下である。次に、短尺切込み線１の始点１ａと縁部３との距離は、０．５ミリメートル以上が必要である。また、同距離は、粘着テープの長手方向又は短手方向のうち短尺切込み線１の配列方向でない方の長さの４分の１以下である。
【００３０】
図１６は、破断開始部２が粘着封印ラベル４の短尺方向にある粘着封印ラベル４の実施例である。つまり、複数条の短尺切込み線１が粘着封印ラベル４の短尺方向に配列され、それぞれの短尺切込み線１は平行し且つその配列方向に対して傾斜しており、さらに短尺切込み線１は粘着封印ラベル４の短尺方向の縁部３と接することなく当該縁部３に沿って配列されている。
【００３１】
図１６の場合、短尺切込み線１の長さは、０．１ミリメートル以上であり、且つ、粘着封印ラベルの長手方向の４分の１以下である。また、短尺切込み線１の始点１ａと縁部３との距離は、０．５ミリメートル以上であり、且つ、粘着封印ラベル４の長手方向の長さの４分の１以下である。
【００３２】
図１から図３は、破断開始部２が粘着封印ラベル４の長手方向にある粘着封印ラベル４である。これらの場合、短尺切込み線１の長さは、０．１ミリメートル以上であり、且つ、粘着封印ラベルの短手方向の４分の１以下である。また、短尺切込み線１の始点１ａと縁部３との距離は、０．５ミリメートル以上であり、且つ、粘着封印ラベルの短手方向の長さの４分の１以下である。
【００３３】
本願考案に係る粘着封印ラベル４の用途としては、包装体５の連結に限定されるものではなく、例えば薬品、健康食品、食品、飲料等の入った瓶や箱等の容器とその蓋に粘着する粘着ラベルや封印シールとしても使用することができる。封印シールとして使用する場合には、そのシールが貼られている間は、未開封の証明となる。
【図面の簡単な説明】
【００３４】
【図１】本件考案に係る粘着封印ラベルの実施例１
【図２】本件考案に係る粘着封印ラベルの実施例２
【図３】本件考案に係る粘着封印ラベルの実施例３
【図４】従来の粘着ラベル
【図５】３つの包装体に粘着封印ラベルを粘着した状態を示す実施例
【図６】４つの包装体に粘着封印ラベルを粘着した状態を示す実施例
【図７】不規則に並んだ包装体に粘着封印ラベルを粘着した状態を示す実施例１
【図８】不規則に並んだ包装体に粘着封印ラベルを粘着した状態を示す実施例２
【図９】縁部に近い位置に比較的短い短尺切込み線をもつ破断開始部を設置した粘着封印ラベルの実施例
【図１０】縁部に近い位置に比較的長い短尺切込み線をもつ破断開始部を設置した粘着封印ラベルの実施例
【図１１】縁部から離れた位置に比較的短い短尺切込み線をもつ破断開始部を設置した粘着封印ラベル実施例
【図１２】縁部から離れた位置に比較的長い短尺切込み線をもつ破断開始部を設置した粘着封印ラベルの実施例
【図１３】瓶とその蓋に粘着封印ラベルを粘着した実施例
【図１４】箱とその蓋に粘着封印ラベルを粘着した実施例
【図１５】図１４の箱の蓋を開けた状態を示す実施例
【図１６】破断開始部が短尺方向にある粘着封印ラベルの実施例
【実施例】
【００３５】
以下、幾つかの実施例を示す。図７、図８は、複数の包装体５を連結した状態の粘着封印ラベル４であるが、包装体５が規則正しく並んでいない例である。図７は、各包装体５の間隔が等間隔になっていない例である。図８は、各包装体５が一列に並んでない（段々になっている）例である。このような場合でも、粘着封印ラベル４全体が各包装体に粘着すると共に、破断開始部２が粘着封印ラベル４の長手方向に端から端まで存在する場合には、問題なく各包装体を連結することができる。
【００３６】
図１３は、薬や健康食品等の入る瓶１０とその蓋１１に粘着封印ラベル４を粘着した実施例である。粘着ラベル４は、瓶１０とその蓋１１にまたがって貼られている。破断開始部２も、瓶１０と蓋１１にまたがって存在している。
【００３７】
図１４は、健康食品等の入る箱１２とその蓋１３に粘着封印ラベル４を粘着した実施例である。図１５は、図１４の箱の蓋１３を開けた状態を示す実施例である。図１５では、粘着封印ラベル４が破断開始部２により破断され、箱１２の蓋１３が開いた状態を示している。
【００３８】
以上、実施例について述べたが、本発明は上記実施例に限定されるものではなく、本発明の趣旨に反しない限り様々な実施例が考えられる。
【符号の説明】
【００３９】
１  短尺切込み線、１ａ  短尺切込み線始点、１ｂ  短尺切込み線終点、２  破断開始部、３  縁部、４  粘着封印ラベル、５  包装体、６  物品収納部、  ７  封止部、８  開封開始部、９  ミシン目、９ａ  切り込み線、９ｂ  接着部、１０  瓶、１１  蓋、１２  箱、１３  箱の蓋
【図１】
0003162271.tif 000003
【図２】
0003162271.tif 000004
【図３】
0003162271.tif 000005
【図４】
0003162271.tif 000006
【図５】
0003162271.tif 000007
【図６】
0003162271.tif 000008
【図７】
0003162271.tif 000009
【図８】
0003162271.tif 000010
【図９】
0003162271.tif 000011
【図１０】
0003162271.tif 000012
【図１１】
0003162271.tif 000013
【図１２】
0003162271.tif 000014
【図１３】
0003162271.tif 000015
【図１４】
0003162271.tif 000016
【図１５】
0003162271.tif 000017
【図１６】
0003162271.tif 000018